(57)【要約】【課題】  旋回式のゴルフ練習機において、従来の構造は、打球後の旋回アームの停止に時間がかかり、又停止位置が確定せずその都度位置合せが必要であった。又、そのために旋回軸を水平とした形態のもの提案されたが、逆に旋回軸が打球部の上方に位置するため、視界の妨げとなり、又停止時間も上下動のため長くなるため、最適なゴルフ練習機が望まれていた。【解決手段】  旋回軸を限定された最適傾斜角度である２０度〜４０度に設定することにより、短時間での停止と、必ず定位置に復帰し、かつ旋回軸が視界を妨げず、風の影響や、振動の発生が少ないという多くの特徴を簡単な構成で有すると共に安価なゴルフ練習機を提供する。【選択図】      図３
2007037946.tif 000002
【特許請求の範囲】
【請求項１】
基板に固定された旋回軸を中心に旋回アームが旋回し、旋回アームの先端には、ゴルフボールの形状をした打球部を有するゴルフの練習機において、
基板に対し直接又はヒンジ部を介して旋回軸を固定し、鉛直線に対し前記旋回軸の上部を下方に２０度以上〜４０度以下の所定の角度に傾斜して取付ることにより、旋回アームの打球後の停止時間を短縮でき、旋回アームが練習者方向に傾斜して伸長することにより、打球部の上方近傍に障害物がなく、加えて打球後の打球部が常に一定の位置に戻る特徴を有すると共に、前記旋回アームの高さ方向の位置を旋回軸の軸芯方向に段階的又は無段階に変化できる支持固定部、又は段差部を有することにより、打球部を基板上に設けた人工芝部に対し任意の隙間Ｈに高さ調節できることを特徴とするゴルフ練習機。
【請求項２】
停止爪と、それと噛合う溝部とで構成されるブレーキ機構の、一方を旋回アームの一部に設け、他方を旋回軸、又は支持固定部又は段差部に設けるか、又は一方と他方を逆に設けたブレーキ機構、又は磁石によるブレーキ機構の一方を、旋回アームの一部に設け、他方を旋回軸又は支持固定部に設けるか、または一方と他方を逆に設けたブレーキ機構を設けるか、又は、旋回アームの旋回により接触しブレーキ効果を持たせるブレーキ棒を、いずれかの固定部に設けることにより、前記いずれかのブレーキ機構により旋回アームの停止が更に早くなることを特徴とする請求項１記載のゴルフ練習機。
【発明の詳細な説明】
【技術分野】
【０００１】  本発明は、旋回式のゴルフ練習機に関する。
【背景技術】
【０００２】  従来より旋回式のゴルフ練習機が数多く供給されてきたが、旋回軸が鉛直で旋回アームが水平面上を旋回するタイプが知られているが、この形態は、旋回アームが打球後慣性でしばらく停止せず、またどの位置に停止するか決まらないので練習者は、その都度位置を正規位置に戻さねばならずその無駄な手間と時間を取られていた。また屋外等で風が吹くと打球部が移動してしまい戻して手を離すと、風により又ずれてしまい何回も正規位置に戻さねばならず練習の能率を阻害していた。
旋回の停止時間はコントロールできないため、クラブを当ててと止めるが、慣性や風の影響で再度ずれてしまい無駄時間がかかり、又早期に止めると器具の損傷を早めることとなっていた。【０００３】  そのためこれらの問題を解消しようとする練習機としては、［特開平１０−１３７３７８］（以下、「引例」という）が提案されている。【０００４】    しかしこの引例においては、旋回アームが垂直面上を旋回し、旋回軸が練習者の方向に水平に張り出してくるため練習者は打球部の上方に有る旋回軸が気になり自然の打球ができ難く、ゴルフ場でのグリーン上で打球する感覚が阻害され特にメンタル性の高いといわれるゴルフに与える影響が大きいという欠点を有していた。【０００５】  又確かに重力により初期の下端位置に復帰することが出来るが、上下回転のため垂直面上を旋回させると打球部の上端位置が高くなり旋回アームは位置エネルギーの増加による弾み車効果により旋回力が強くなり、停止時間には逆効果となり、基板に掛かる衝撃力が大きくなり、基板がぶれ易い欠点を有していた。そのため基板を重く又は大きくしなければならず運搬に不便でありまた製作コストも高いものとなっていた。
【特許文献１】特開平１０−１３７３７８
【発明の開示】
【発明が解決しようとする課題】
【０００６】    本発明は、これらの欠点を排除し、ゴルフの練習を効果的に出来る旋回式のゴルフ練習機を提供するものである。
【課題を解決するための手段】
【０００７】  基板に固定された旋回軸を中心に旋回アームが旋回し、旋回アームの先端には、ゴルフボールの形状をした打球部を有するゴルフの練習機において、
基板に対し直接又はヒンジ部を介して旋回軸を固定し、鉛直線に対し前記旋回軸の上部を下方に２０度以上〜４０度以下の所定の角度に傾斜して取付ることにより、旋回アームの打球後の停止時間を短縮でき、旋回アームが練習者方向に傾斜して伸長することにより、打球部の上方近傍に障害物がなく、加えて打球後の打球部が常に一定の位置に戻る特徴を有すると共に、前記旋回アームの高さ方向の位置を旋回軸の軸芯方向に段階的又は無段階に変化できる支持固定部、又は段差部を有することにより、打球部を基板上に設けた人工芝部に対し任意の隙間Ｈに高さ調節できるゴルフ練習機を提供する。【０００８】  又、停止爪と、それと噛合う溝部とで構成されるブレーキ機構の、一方を旋回アームの一部に設け、他方を旋回軸又は支持固定部に設けるか、又は一方と他方を逆に設けたブレーキ機構、又は磁石によるブレーキ機構の一方を、旋回アームの一部に設け、他方を旋回軸又は支持固定部又は段差部に設けるか、または一方と他方を逆に設けたブレーキ機構を設けるか、又は、旋回アームの旋回により接触しブレーキ効果を持たせるブレーキ棒を、いずれかの固定部に設けることにより、前記いずれかのブレーキ機構により旋回アームの停止が更に早くなることを特徴とするゴルフ練習機を提供する。
【発明の効果】
【０００９】  本発明のゴルフ練習機は次の効果を有するものである。
１）打球部の静止位置が初期の下限位置に必ず復帰する。
２）屋外でも風の影響により停止位置が変わることが無く、風の影響を受け難い。
３）旋回アームの打球後の停止時間が短くなる。
４）旋回軸の傾斜角を任意に変えられるので最適な停止時間と打球反力を調節すること      が出来る。
５）支持固定部、又は段差部により人口芝生面よりの隙間Ｈを望ましい最適位置に調節      できる。
６）打球部が旋回軸の傾斜角度により前方に飛び出してくるため、打球時旋回軸が視界      の邪魔にならない。
７）旋回による振動の発生がほとんど無いため基板の重量を大きくする必要が無く経済      的である。
８）実施例２のいずれかのブレーキ機構を設けると更に停止時間は大幅に短くなる。
９）ヒンジ部７を緩めることにより旋回軸６を折畳めるため小型となり携帯に便利であ      る。
【発明を実施するための最良の形態】
【００１０】      本発明は、発明の効果に前述した如く、簡単な構成で、ゴルフの練習をグリーン上の感覚に近くしかも能率的に練習できる画期的な構成を提供するものである。【００１１】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。以下図面に基づいて詳細を説明する。
【実施例１】
【００１２】  以下、本発明の実施例について、図面を参照しながら説明する。
実施例１は、図１〜図４に示すものである。図１は全体斜視図であり、全体の構成を示す。図２は、本実施例の正面図である。図３は図２の旋回軸中心での断面詳細図である。【００１３】  図３をもとに説明すると、基板１の上面には、樹脂製等の人工芝部２が接着、面ファスナー、磁力シート等の接着部３により固着されており、該人工芝部２の上方から隙間Ｈの位置に旋回アーム４の先端４ａに設けられた打球部５の下端が配置されている。
旋回アーム４の他端には軸受部４ｂが設けられており、該軸受部４ｂの中空部には、旋回軸６が遊嵌されている。旋回軸６の下端部は、基板１に対して、直接又はヒンジ部７を介して固定されている。【００１４】  図３はヒンジ部７を介して固定したものを示すもので、ヒンジ部７を設けず直接固定しても良い。【００１５】  ヒンジ部７は、前記旋回軸６の下端に設けられた開口８内に遊嵌された角度調整軸９が貫通され、該角度調整軸９の両端は基板１に固定されたブラケット１０により支持されている。旋回軸の下端部には、角度固定ネジ１１が基板１を貫通して螺設されており、該角度固定ネジ１１を締め上げることにより、前記旋回軸の傾斜角度θを任意の角度に固定できるように構成されている。【００１６】  又更に、ヒンジ部７の特徴ある機能は、前記角度調整ネジ１１を緩め、旋回アーム４を９０度旋回すると、旋回軸６と旋回アーム４は、人工芝部２の上に折畳めるため、小型となり携帯しやすくなり屋外の練習もしやすくなる。【００１７】  軸受部４ｂの下面には、それに接して、旋回軸６上の高さ方向の位置を指示固定する支持固定部２０が設けられており、旋回アーム４の位置を任意に調整できるよう構成されている。該支持固定部２０は旋回軸６に遊嵌されている支持部２１と高さ固定ネジ２２により構成され、前記旋回アーム４の高さ方向の位置を固定できるようになっている。
支持固定部２０の代りに、旋回アーム４を支持できる段差部を旋回軸６の一部に設けても良い。【００１８】  一方、旋回軸６の上端には、旋回アーム４が上方に飛び出さないためのキャップ２３が設けられている。【００１９】  このように構成することにより、人工芝部２と打球部５の隙間Ｈが適度に調整できる。隙間Ｈは、図３に示すように、ティーショットを打つ練習時は、１０〜３０ミリの適当な高さに調節されるためティーアップ時の練習に効果を発揮できる。【００２０】  又グリーン上の打球を打つ時は、図４に示すように人工芝部２に接して隙間Ｈを０ミリとすることにより、その練習を最適に行うことが出来る。
隙間Ｈの調節は、傾斜角度θを固定して、支持固定部２０、又は段差部を任意の高さに調整することにより設定することが出来る。又、傾斜角度θを最も好ましい角度に調整することによっても隙間Ｈを設定することもできるのである。【００２１】  傾斜角度θに関してその重要度を述べると、
プロゴルファーの経験によると、上達に最も大事なことは、打球の繰返し練習回数によると言われている。一日あたりの打球数を出来るだけ多くすることが重要とのことである。従って１回目の打球と２回目の打球との間の無駄時間を如何に短くするかが望まれていた。
前述の如く、従来の方法ではそれを適度に調整することが出来ず、結果として打球回数の減少を強いられていた。【００２２】  旋回軸を鉛直にした従来の方法においては、停止位置と停止時間をコントロールできないため、クラブを当てて止めるが、慣性や風の影響で何度もずれてしまい無駄時間がかかり、又早期に止めると器具の損傷を早めることとなっていた。【００２３】  次に引例１に示す旋回軸を水平にする方法においては、確かに重力により初期の下端位置に復帰することが出来るが、上下回転のため打球部の上端位置が高くなり、旋回アームは弾み車効果により旋回力が強くなり、停止時間短縮に逆効果となっていた。
又、旋回軸が練習者の方向に飛び出し、打球部の真上に位置するため視覚的感覚がグリー上の感覚と大きく異なるため、メンタル面の影響の大きいゴルフの練習の妨げとなっていた。【００２４】  従って、発明者は、これらの欠点を排除し、いかに早期に停止するかを探求した結果、旋回軸を最適の傾斜角度θに調節することで達成できることを発見したのである。【００２５】  実施例の内の一つである実験例をしめすと、
傾斜角度を０度より増加させていくと打球部が定位置に戻らなかったのが、傾斜角度θの増加で低位置復帰ができるようになる。その反面、上下移動が大きくなってくるため、旋回アーム４と打球部５の有する位置のエネルギーが増加してくるため停止時間は長くなる。しかし傾斜角度θがある特定の範囲で、それに打ち勝って復帰力が発生し停止時間が短くなり、更に傾斜角度θを大幅に大きくすると停止時間は大幅に長くなることを発見した。【００２６】  この実験を５２０回以上実施した結果、
まず、傾斜角度θが０度の時は、定位置停止力がゼロのため停止時間は、約８．０秒であり、打球部５をクラブで定位置に戻す時間は、風の吹いてない時で４〜５秒であるため全体での復帰時間は、約１２秒〜１３秒であった。これは風による打球部５の移動がない時で、風の影響や戻し方がまずいと更に、約２倍以上に長くなり、練習時間は大幅に制限されてしまう。【００２７】  次に傾斜角度θが１０度の場合は、定位置停止力が弱いので、定位置での停止が確実でなく、停止時間は７．８秒で、打球部５をクラブで定位置に戻す時間は、同様に風の吹いてない時で４〜５秒であるため全体での復帰時間は、約１１．８秒〜１２．８秒であった。【００２８】  傾斜角度θが１５度の時は、定位置停止力により定位置停止が可能となるが、停止時間は平均７．５秒であった。【００２９】  傾斜角度θが２０度の時は停止時間は平均６．２０秒であった。【００３０】  傾斜角度θが２５度の時は停止時間は平均６．１２秒であった。【００３１】  更に、傾斜角度θが３０度の時は停止時間は同様に平均６．００秒であった。【００３２】  更に、傾斜角度θが３５度の時は停止時間は同様に平均６．１３秒であった。【００３３】  更に傾斜角度θを４０度としたときは、前述した慣性力により増加が著しくなり、逆に停止時間は６．５４秒となることが確かめられた。【００３４】  更に傾斜角度θを５０度としたときは、前述した慣性力により更に増加傾向となり、停止時間は７．５０秒となり、逆効果であることが確かめられた。【００３５】  更に傾斜角度θを６０度としたときは、前述した慣性力により更に増加傾向となり、停止時間は８．２０秒と増大してきた。【００３６】  傾斜角度θが９０度の時停止時間は、平均１３．２２と大幅に増大してきた。そして視界を妨げる前述の欠点が著しくなり、旋回による反動力も大きく振動が発生してきた。【００３７】  これらの実験の結果を表１に示す。
【表１】
2007037946.tif 000003
【００３８】  停止時間は、実際の練習においては、短いことが望ましいが、特に、次の試打に移る間の練習者の心理的待ち時間では、７秒以下が望ましいと言われている。それらから最適傾斜角度θは、２０度以上〜４０度以下であることを発見した。更に望ましくは、２０度以上〜３５度以下である。
この最適傾斜角度θが５２０回の実験により発見出来たことが本発明の根幹をなすところであり、通常の思考では得られない特徴ある本発明を構成することが出来たのである。【００３９】  又芝生面との隙間Ｈは支持固定部２０、又は段差部を任意の高さに調整することにより最適位置に設定することが出来、簡単な構成で種々の練習を一つの練習機で達成できる極めて合理的、かつ安価に提供できる構成を提供することが出たのである。
【実施例２】
【００４０】  本発明の実施例２を図５、図６、及び図７に示す。
図５は右打用にセットしたもので、実施例１の支持固定部２０に変えて、停止爪付支持固定部３０を設けたもので、旋回軸６に遊嵌されている支持部３１と高さ固定ネジ３２に加えて支持部３１の上面に停止爪３３を設けている。更に支持部３１の下面の裏面側に別の停止爪３４を設けている。【００４１】  又、旋回アーム４の軸受部４ｂの下面には、停止爪３３、３４と噛合う形状の溝部３５が設けられている。これらの停止爪３３、３４と溝部３５の噛合せ構造によりブレーキ機構を付与することが出来る。【００４２】  右利きの練習者が打球を時計方向に打つ時は、図５に示すようにの傾斜面３６が溝部３５のエッジ３５ａに当たることにより旋回アーム４は停止爪３３の高さだけ上方に移動し旋回することになる。旋回のたびに溝部３５と停止爪３３は噛合い、ブレーキ機構として働く。【００４３】  旋回アーム４の停止が近くなると、旋回アーム４は重力に負けて反時計方向に帰ってくるが、その時に停止爪３３の垂直面３７が溝部３５に噛合い、直ちに停止することにより更に短時間で旋回を停止できる。実験例では、傾斜角度θが１５度のときに、停止時間が６．６７秒であったが、ブレーキ機構を設けることで、４．８５秒に、短縮できた。
このブレーキ機構は停止用爪３３と溝部３５の噛合い高さを大きくすればするほど、その効果は大きくなってくる。
又、停止爪３３により旋回アーム４は停止爪３３の高さだけ上方に移動し旋回することより、打球部は打ち上げ方向に動くため更に自然の打球の動きに近くなる効果を発揮することができるのである。【００４４】  図６は左打用にセットしたもので、キャップ２３を外し、停止爪付支持固定部３０を、旋回軸６より抜き、上下反対に取付ることで、停止爪３４が上方に移動することにより、溝部３５に噛合うように構成される。練習者は、打球部５を反時計方向に打球すると、前述した右打用と同一の効果を発揮することが出来るのである。【００４５】  このことにより一つのブレーキ爪付支持固定部３０の取付方向を代えることにより右打用と左打用に切換えることが出来るのである。
又、別のブレーキ機構としては、旋回アーム４又は固定支持部２０等の固定部のいずれか一方に磁石を、又、他方に鉄等の磁性材料を設けるか、又は両方に磁石を設置することにより磁力によりブレーキ効果を与えても良い。（図示せず）
又、別のブレーキ機構としては、図７に示すように、旋回アーム４が旋回する範囲の一部に、ゴム等の可撓性のあるブレーキ棒３８を設け、旋回アーム４が旋回してくるとブレーキ棒３８に接触し、ブレーキ棒３８が撓み、ブレーキ効果を発揮しても良い。【００４６】  ［変形実施例］
この発明は次のように変形して実施することを含むものである。
（１）旋回軸６の傾斜角度θを固定し、ヒンジ部７を介することなく基板１に直接固定      する構成とする。
（２）支持固定部をリング状とせず、旋回軸に設けた段差部により構成し旋回アーム４      を支持し、隙間Ｈの調節は、ヒンジ部７の傾斜角度θにより調節する。
（３）旋回アーム４に設けた打球部５を取外し交換できるように、結束、螺接、接着等      の方法で固定する。
（４）人工芝部２を基板に対し面ファスナー、又は磁石等の接着部３で取付けることに      より、人工芝部２をフェアウェイ用のきめ細かい芝部とラフ用の粗い芝部に変更で      きる構成とすることができる。
（５）停止爪を旋回アーム４の軸受部４ｂの下面に設け、溝部を支持固定部２０に設け      る構成とする。
（６）実施例２の構成を停止爪と溝部の組合せでなく、磁石によりブレーキ効果を持た      せる。
（７）旋回アーム４を直線状でなく曲線状に曲げ、旋回軸の位置を更に練習者の視界よ      り遠ざける。
【産業上の利用可能性】
【００４７】    本発明の活用例としては、以上説明したように、日本のレジャー産業で盛んなゴルフの最適な練習を可能にすることにより、ゴルフ産業の高揚と、練習を通じて人の健康向上を計ることが出来る。
【図面の簡単な説明】
【００４８】
【図１】実施例１の全体斜視図である。
【図２】実施例１の正面図である。
【図３】旋回軸中心での断面詳細図である。
【図４】打球部を下げた状態の旋回軸中心での断面詳細図である。
【図５】実施例２の爪付指示固定部を示す部分詳細図である。
【図６】実施例２の左打用の爪付指示固定部を示す部分詳細図である。
【図７】実施例２の別のブレーキ機構であるブレーキ棒を設けた部分詳細図である。
【符号の説明】
【００４９】１    基板
２    人工芝部
３    接着部
４    旋回アーム
４ａ  先端部
４ｂ  軸受部
５    打球部
６    旋回軸
７    ヒンジ部
８    開口
９    角度調整軸
１０  ブラケット
１１  角度固定ネジ
２０  支持固定部
２１  支持部
２２  高さ固定ネジ
２３  キャップ
３０  停止爪付支持固定部
３１  支持部
３２  高さ固定ネジ
３３、３４  停止爪
３５  溝部
３５ａ  エッジ
３６  傾斜面
３７  垂直面
３８  ブレーキ棒
【図１】
2007037946.tif 000004
【図２】
2007037946.tif 000005
【図３】
2007037946.tif 000006
【図４】
2007037946.tif 000007
【図５】
2007037946.tif 000008
【図６】
2007037946.tif 000009
【図７】
2007037946.tif 000010